(57)【要約】【目的】既設屋根を撤去しつつ改修屋根又は新設屋根を効率的に施工することができる折板屋根改修工法を提供すること。【構成】既設構造材４上に所定間隔に配置された二本の脚部２１と頂部２２とを有する台形状の既設タイトフレーム２と、該既設タイトフレーム２に支持された既設の折板屋根板材１とを備えた既設折板屋根Ａにおいて、前記既設タイトフレーム２から既設の前記折板屋根板材１を取り外すこと。前記既設タイトフレーム２の少なくとも１箇所を切断し、前記既設構造材４上の前記既設タイトフレーム２の高さ方向を低くなるように修めること。前記既設構造材４上には無溶接手段にて装着可能な改修タイトフレームＢ1を装着し、該改修タイトフレームＢ1を介して改修用の折板屋根板材５を装着して改修折板屋根Ｂを施工すること。【選択図】      図１
2018080533.tif 000002
【特許請求の範囲】
【請求項１】
既設構造材上に所定間隔に配置された二本の脚部と頂部とを有する台形状の既設タイトフレームと、該既設タイトフレームに支持された既設の折板屋根板材とを備えた既設折板屋根において、前記既設タイトフレームから既設の前記折板屋根板材を取り外し、前記既設タイトフレームの少なくとも１箇所を切断し、前記既設構造材上の前記既設タイトフレームの高さ方向を低くなるように修め、前記既設構造材上には無溶接手段にて装着可能な改修タイトフレームを装着し、該改修タイトフレームを介して改修用の折板屋根板材を装着して改修折板屋根を施工してなることを特徴とする折板屋根改修工法。
【請求項２】
請求項１において、前記改修タイトフレームは前記既設タイトフレームの対向する両前記脚部間となる位置に装着されてなることを特徴とする折板屋根改修工法。
【請求項３】
請求項１又は２において、前記既設タイトフレームの両前記脚部を切断して前記頂部を撤去し、前記既設構造材上には両前記脚部の一部を残してなることを特徴とする折板屋根改修工法。
【請求項４】
請求項１，２又は３の何れか１項において、前記既設タイトフレームの切断箇所は前記脚部の前記既設構造材との付根付近としてなることを特徴とする折板屋根改修工法。
【請求項５】
請求項１，２又は３の何れか１項において、前記既設タイトフレームの切断箇所は前記脚部の上端付近とし、該脚部切断後に対向する前記脚部を前記既設構造材上に倒してなることを特徴とする折板屋根改修工法。
【請求項６】
請求項１又は２において、前記既設タイトフレームの切断箇所は前記頂部とし、該頂部切断後に対向する前記脚部を前記既設構造材上に倒してなることを特徴とする折板屋根改修工法。
【発明の詳細な説明】
【技術分野】
【０００１】
本発明は、既設屋根を撤去しつつ改修屋根又は新設折板屋根を効率的に施工することができる折板屋根改修工法に関する。
【背景技術】
【０００２】
近年、過去に建設した多くの建築物が一斉に老朽化し、このような老朽化した建築物が増加する傾向にある。特に、屋根は、最も過酷な条件に晒されているため、他の部分に比較して特に老朽化の度合いが激しいものである。そこで、今後、このような老朽化した建築物の改修工事の増加が見込まれている。
【０００３】
特に、老朽化した金属製の折板屋根が増加しており、その改修が必要とされている。その改修には、種々の工法が存在している。改修工事は、一般的に、既設の屋根の上にそのまま新たな屋根を施工したり、或いは既設屋根を撤去してから改修折板屋根（新設折板屋根）を施工するものである。既設屋根の上に改修（新設）屋根を葺成するタイプは、簡単且つ低価格にできることから多く使用されている。このように既設屋根上に改修（新設）屋根を葺成することが多く採用され、この種の技術開発も多く行われている。しかし、改修工事を行うための条件として、既設屋根を支持する既設のタイトフレームが長年にわたる使用であっても、まだ継続して十分に使用できるものであるか否か等の種々の条件がある。
【先行技術文献】
【特許文献】
【０００４】
【特許文献１】特開２０１４−４０７２０号公報
【発明の開示】
【発明が解決しようとする課題】
【０００５】
これに対して、極めて老朽化した既設屋根全体又は一部撤去したまま、該既設屋根上に改修（新設）屋根を葺成することが危険且つ不都合な場合も存在する。例えば、工場，倉庫等における既設屋根の下に天井板等が備わっていない建築物では、老朽化した既設屋根を構成する金属製の折板屋根板材或いはこれに関連する部品等が腐食し、その一部が室内に落下するおそれがある。
【０００６】
このような状態では、建築物内部で作業員は危険な状況で作業することになる。そこで、既設の折板屋根板材だけを取り外し、改修（新設）折板屋根板材を葺く方法と、既設タイトフレームごと取り外し、改修する方法が存在する。既設タイトフレームの老朽化により、再利用が不可能であることが確認された場合は、後者の方法を選択することになる。
【０００７】
しかし、金属製屋根を有する古い建物では、金属屋根板を支持するタイトフレームは梁又は母屋等の鉄骨既設構造材に対して溶接にて固着されていることが多い。そのため、タイトフレームを既設構造材から撤去する作業は、溶接部分を外すための切断時に火花が発生したり、撤去物が高所から落下する等のことで、作業員及び周辺の人々に対して極めて危険で安全確保が極めて困難となり、またコストも高くなるものであった。そこで、本発明の目的は、既設の金属折板屋根を構成する部材の撤去を必要最小限に抑え、改修屋根（新設折板屋根と称してもよい）を効率的に葺成することができる改修折板屋根工法を提供することにある。
【課題を解決するための手段】
【０００８】
そこで、発明者は上記課題を解決すべく鋭意，研究を重ねた結果、請求項１の発明を、既設構造材上に所定間隔に配置された二本の脚部と頂部とを有する台形状の既設タイトフレームと、該既設タイトフレームに支持された既設の折板屋根板材とを備えた既設折板屋根において、前記既設タイトフレームから既設の前記折板屋根板材を取り外し、前記既設タイトフレームの少なくとも１箇所を切断し、前記既設構造材上の前記既設タイトフレームの高さ方向を低くなるように修め、前記既設構造材上には無溶接手段にて装着可能な改修タイトフレームを装着し、該改修タイトフレームを介して改修用の折板屋根板材を装着して改修折板屋根を施工してなる折板屋根改修工法としたことにより、上記課題を解決した。
【０００９】
請求項２の発明を、請求項１において、前記改修タイトフレームは前記既設タイトフレームの対向する両前記脚部間となる位置に装着されてなる折板屋根改修工法としたことにより、上記課題を解決した。請求項３の発明を、請求項１又は２において、前記既設タイトフレームの両前記脚部を切断して前記頂部を撤去し、前記既設構造材上には両前記脚部の一部を残してなる折板屋根改修工法としたことにより、上記課題を解決した。請求項４の発明を、請求項１，２又は３の何れか１項において、前記既設タイトフレームの切断箇所は前記脚部の前記既設構造材との付根付近としてなる折板屋根改修工法としたことにより、上記課題を解決した。
【００１０】
請求項５の発明を、請求項１，２又は３の何れか１項において、前記既設タイトフレームの切断箇所は前記脚部の上端付近とし、該脚部切断後に対向する前記脚部を前記既設構造材上に倒してなる折板屋根改修工法としたことにより、上記課題を解決した。請求項６の発明を、請求項１又は２において、前記既設タイトフレームの切断箇所は前記頂部とし、該頂部切断後に対向する前記脚部を前記既設構造材上に倒してなる折板屋根改修工法としたことにより、上記課題を解決した。
【発明の効果】
【００１１】
請求項１の発明では、既設構造材上に所定間隔に配置された二本の脚部と頂部とを有する台形状の既設タイトフレームから折板屋根板材を取り外した後、既設タイトフレームの少なくとも一箇所を切断して、両脚部を互いに相手側に向かって押し倒す等の処理を行い、既設タイトフレームを高さ方向に低く修める。
【００１２】
そして、既設構造材上には無溶接手段（溶接を使用しない装着手段）にて装着可能な改修タイトフレームを装着し、該改修タイトフレームを介して改修折板屋根板材を装着してなる折板屋根改修工法とした。これにより、前記既設タイトフレームは、その一部を切断して撤去するものであり、既設タイトフレームは、最小限の撤去作業にて改修（新設）折板屋根を施工することができる。これにより、改修工事を簡単にすると共に、この工事に係る作業員の負担を大幅に減少し、安全性についてもより一層確保することができる。
【００１３】
請求項２の発明では、前記改修タイトフレームは前記既設タイトフレームの対向する両前記脚部間となる位置に装着されることにより、改修（新設）折板屋根を構成する改修（新設）折板屋根板材と、既設折板屋根の既設折板屋根板材との位置は略同一位置とすることができ、撤去前の既設折板屋根と略同等の構成とした改修（新設）折板屋根の施工を簡単にすることができる。
【００１４】
さらに請求項２の発明では、既設タイトフレームの対向する両前記脚部間となる位置に無溶接手段により装着可能な改修タイトフレームを設置するものである。そのため、既設タイトフレームの切断された両脚部の間の空隙部の位置においては、既設構造材のフランジ上には既設タイトフレームの残部は存在せず、改修タイトフレームのフランジ上への設置は極めて簡単且つ迅速にできる。
【００１５】
請求項３の発明では、前記既設タイトフレームの両前記脚部を切断して前記頂部を撤去し、前記既設構造材上には両前記脚部の一部を残してなる折板屋根改修工法により、既設タイトフレームの頂部箇所が完全に撤去されるものであり、既設タイトフレームの切断後における高さ位置を低く修める作業を簡単にできる。
【００１６】
請求項４の発明では、既設タイトフレームの切断箇所は前記脚部の前記既設構造材との付根付近としたことにより、タイトフレームは既設構造材上から略全体が撤去されることになり、切断と同時に既設タイトフレームを低く修める処理を完了することができ、施工効率を向上させることができる。
【００１７】
請求項５の発明では、前記既設タイトフレームの切断箇所は前記脚部の上端付近とし、該脚部切断後に対向する前記脚部を前記既設構造材上に倒したことにより、両脚部の切断を行い易くすることができる。請求項６の発明では、前記既設タイトフレームの切断箇所は前記頂部とし、該頂部切断後に対向する前記脚部を前記既設構造材上に倒したことにより、切断作業の回数を少なくすることができる。
【図面の簡単な説明】
【００１８】
【図１】（Ａ）乃至（Ｅ）は本発明の切断の第１実施形態に基づいて馳締タイプの改修折板屋根を施工する工程を示す正面図である。
【図２】（Ａ）は既設タイトフレームの両脚部を第１実施形態の切断方法にて切断した拡大正面図、（Ｂ）は既設タイトフレームの両脚部が切断された状態を示す拡大正面図、（Ｃ）は既設構造材のフランジに改修タイトフレームを装着した状態の拡大正面図である。
【図３】（Ａ）は既設タイトフレームの両脚部が本発明の第２実施形態の切断方法にて切断された状態を示す拡大正面図、（Ｂ）は既設構造材のフランジに改修タイトフレームを装着すると共に残存する両脚部を少し押し倒した状態の拡大正面図、（Ａ）は本発明の第２実施形態に基づいて改修した改修折板屋根の正面図である。
【図４】（Ａ）は改修タイトフレームの斜視図、（Ｂ）は改修タイトフレームの側面図、（Ｃ）は改修タイトフレームを既設構造材のフランジに装着した状態の要部側面図である。
【図５】（Ａ）乃至（Ｅ）は本発明の切断の第１実施形態に基づいて重合タイプの改修折板屋根を施工する工程を示す正面図である。
【図６】（Ａ），（Ｂ）は本発明の第３実施形態の切断方法にて切断した正面図、（Ｂ）は既設構造材のフランジに改修タイトフレームを装着した状態の正面図である。
【図７】本発明において隣接する撤去された既設タイトフレームの間の位置に改修タイトフレームを設置する実施形態の正面図である。
【発明を実施するための形態】
【００１９】
以下、本発明の実施形態について図面に基づいて説明する。本発明には、複数の実施形態が存在する。本発明は、既設の既設折板屋根Ａの解体工程と改修折板屋根Ｂの施工工程の二つの工程を備えたものである（図１参照）。ここで、改修折板屋根Ｂは、新設折板屋根Ｂと称してもかまわない。
【００２０】
既設折板屋根Ａは、既設の折板屋根板材１，既設タイトフレーム２を備えている。改修折板屋根Ｂは、無溶接（溶接を使用しない装着手段）にて既設構造材４に装着できる改修タイトフレームＢ1と、改修（新設）用の折板屋根板材５とを備えたものである。既設構造材４は、既設折板屋根Ａの撤去後、改修折板屋根Ｂの施工に使用される（図１参照）。
【００２１】
既設折板屋根Ａ及び改修折板屋根Ｂは、種々の折板タイプが存在するものであり、馳締タイプ(図１参照)及び台形状の山形部同士を重合して連結する重合タイプ（図５参照）等が存在する。既設折板屋根Ａを構成する折板屋根板材１と、改修折板屋根Ｂを構成する折板屋根板材５とは、共に同一構造である。
【００２２】
ここでは、既設折板屋根Ａと改修折板屋根Ｂとを構成するそれぞれの折板屋根板材を区別するために、既設折板屋根Ａを構成する既設の折板屋根板材を単に折板屋根板材１と称し、改修折板屋根Ｂを構成する改修用又は新設用の折板屋根板材を単に折板屋根板材５と称する。
【００２３】
既設折板屋根Ａは、母屋等の既設構造材４上に既設タイトフレーム２と吊子３とを介して馳締タイプの屋根として施工されたものである。ここで、折板屋根板材１及び折板屋根板材５は、その長手方向をＸ方向とし、長手方向に直交する方向をＹ方向と称する。本発明においては、折板屋根板材１及び折板屋根板材５のＹ方向は、幅方向となる（図１乃至図３等参照）。
【００２４】
主板１１のＹ方向（幅方向）両側部分より立上り側部１２，１２が形成され、両立上り側部１２，１２の両端より頂部１３，１３が形成され、該頂部１３，１３の一方の端から下馳部１４ａが形成され，他方の頂部１３の端には上馳部１４ｂが形成されている（図１参照）。
【００２５】
また、改修折板屋根Ｂを構成する折板屋根板材５は、主板５１のＹ方向（幅方向）両側部分より立上り側部５２，５２が形成され、両立上り側部５２，５２の両端より頂部５３，５３が形成され、該頂部５３，５３の一方の端から下馳部５４ａが形成され，他方の頂部５３の端には上馳部５４ｂが形成されている〔図１（Ｅ），図３（Ｃ）等参照〕。
【００２６】
既設構造材４のフランジ４１のＹ方向に沿って所定間隔をおいて既設タイトフレーム２が装着されている。そして、既設タイトフレーム２，２，…に既設の折板屋根板材１，１
…が複数並設される。隣接する折板屋根板１，１同士の下馳部１４ａと上馳部１４ｂと
は、吊子３と共に馳締され、既設タイトフレーム２上に固定されている。このような構成にて既設折板屋根Ａが構成されている〔図１（Ａ）参照〕。既設構造材４は、型鋼であり、Ｈ形鋼，Ｉ型鋼又は溝形鋼等が使用される。
【００２７】
重合タイプの既設折板屋根Ａは、折板屋根板材１の主板１１のＹ方向両側端に台形半山形状の山形部１５，１５を有している。そして、隣接する折板屋根板材１，１の山形部１５，１５同士を重合させて既設折板屋根Ａが構成されている(図５参照)。この場合には、既設タイトフレーム２の頂部は平坦状に構成され、ボルト軸部２３が設けられている。そして、山形部１５，１５の山頂部同士が重合されると共に、その山頂部同士に前記ボルト軸部２３が貫通し、ナットがボルト軸部２３に締め付けられて固定されている。
【００２８】
同様に、改修折板屋根Ｂにおける折板屋根板材５についてもＹ方向両側に山形部５５，５５を有している。そして、隣接する折板屋根板材５，５の山形部５５，５５同士を重合させて改修折板屋根Ｂを施工するものである(図５参照)。この場合には、既設タイトフレーム２の頂部７３は平坦状に構成され、該頂部７３上にはボルト軸部７４が設けられている。そして、山形部５５，５５の山頂部同士が重合されると共に、その山頂部同士に前記ボルト軸部７４が貫通し、ナットがボルト軸部７４に締め付けられて固定されている〔図５（Ｄ）参照〕。
【００２９】
次に、既設折板屋根Ａの解体工程と、改修折板屋根Ｂの施工工程との二つの工程について説明する。既設折板屋根Ａの解体は、まず隣接する折板屋根板材１，１の下馳部１４ａと上馳部１５ｂとを分離する〔図１（Ａ），（Ｂ）参照〕。このとき、下馳部１４ａ或いは上馳部１４ｂから吊子３も分離される。既設構造材４のフランジ４１上には多数の既設タイトフレーム２，２，…が残った状態にある〔図１（Ｃ）参照〕。
【００３０】
既設タイトフレーム２は、２個の脚部２１，２１と、頂部２２とから構成され、該頂部２２，両脚部２１，２１とにより略台形状に構成されている。脚部２１の下端には脚座板２１ａが形成されており、該脚座板２１ａが既設構造材４上に溶接にて固着されている〔図１（Ａ），（Ｂ）参照〕。なお、既設タイトフレーム２は、単体としたものや、或いは複数個が前記脚座板２１ａにて連続する実施形態も存在する。
【００３１】
既設タイトフレーム２は、少なくとも一部分が切断され、その切断と共に、既設タイトフレーム２を元の高さからその高さ方向において低くする処理が行われる。この高さ方向に低くする処理とは、既設タイトフレーム２が切断されて、既設構造材４上に残った既設タイトフレーム２の残存部分を、既設構造材４のフランジ４１上に押し倒す等の変形手段にて、前記残存部分が高さ方向に低くなるようにすることをいう。既設タイトフレーム２に対する切断は、１箇所以上である。
【００３２】
切断に使用される切断機９は、手持ちタイプで、小型且つ軽量であることが好ましい。切断機９の切断動作（手段）は、剪断とする。切断機９は、相互に可動する刃部材又は、一方を可動とし、他方を固定とした刃部材を備えたものが使用される。切断に使用する動力は、油圧機構，電動機構或いは手動によるものである。ここで、切断作業に、高速回転する円板状の砥石，鋸，ガスによる溶断等の高温、発火性，切粉発生のあるものは、火災防止の観点から採用しないことが好ましい。
【００３３】
既設タイトフレーム２に対する切断機９による切断工程には、３通りの実施形態が存在する。まず、切断工程の第１実施形態としては、既設タイトフレーム２の両脚部２１，２１のそれぞれを、既設構造材４との付根箇所付近で切断するものである。つまり、脚部２１の下端付近を切断するものである〔図１（Ｂ），（Ｃ），図２参照〕。
【００３４】
これによって、既設構造材４のフランジ４１上に残る既設タイトフレーム２は、両脚部２１，２１の下方の一部となる。既設構造材４のフランジ４１上に残された両脚部２１，２１間には、空隙Ｓが形成されることとなり、該空隙Ｓは、後述する改修タイトフレームＢ1の装着位置となる〔図１（Ｃ）乃至（Ｅ），図２（Ｂ），（Ｃ）参照〕。
【００３５】
また、既設構造材４のフランジ４１上に残された既設タイトフレーム２の両脚部２１，２１は、下方の部分しか残らず、既設タイトフレーム２の本来の高さから相当低くなっており、高さ方向に低くする処理は、両脚部２１，２１の切断と共に完了したことになる〔図１（Ｃ）参照〕。換言すると、この実施形態では、既設タイトフレーム２を高さ方向に低くする処理は、省略できるといえる。
【００３６】
切断の第２実施形態は、既設タイトフレーム２の両脚部２１，２１の上方位置の切断である（図３参照）。この両脚部２１，２１の上方位置は、既設構造材４のフランジ４１の位置から離れた位置となり、切断作業において、切断機９が既設構造材４のフランジ４１に接触し難く、干渉されず、切断作業が行い易いという利点がある〔図３（Ａ）参照〕。
【００３７】
フランジ４１上に残された既設タイトフレーム２の両脚部２１，２１の部分はその上方付近まで存在するので、両脚部２１，２１を互いに相手側に向かって少し押した倒すことによって高さ方向を低くする〔図３（Ｂ）参照〕。つまり、フランジ４１上に残された両脚部２１，２１を少し押し倒すことによって、残存部分を低くする処理が行われたことになる。
【００３８】
ここで、それぞれの既設タイトフレーム２の上方を切断された両脚部２１，２１の間には、押し倒したときに相互に上端部分同士が干渉しないような倒し角度とし、両脚部２１，２１間に改修タイトフレームＢ1が設置できるような隙間を設ける必要がある。また、両脚部２１，２１は、改修タイトフレームＢ1に近接するように少しだけ押し倒すことが好ましい〔図３（Ｂ），（Ｃ）参照〕。
【００３９】
切断の第３実施形態は、既設タイトフレーム２の頂部２２を切断することである（図６参照）。頂部２２の切断では、既設構造材４のフランジ４１上に両脚部２１，２１全体が残り、高さを低くする処理が必要となる。このとき、両脚部２１，２１と共に頂部２２の一部が両脚部２１，２１の上端にそれぞれ残ることになる。したがって、既設タイトフレーム２の残存部分を低くする処理は、両脚部２１，２１を押し倒すことになり、この押し倒しにより、両脚部２１，２１の上端或いは切断された頂部２２の一部同士が重なり合うことになる〔図６(Ａ)参照〕。
【００４０】
この場合、既設タイトフレーム２の両脚部２１，２１間は、その高さを低く修めると、両脚部２１，２１が相互に重なり合う状態となる。したがって、両脚部２１，２１間への改修折板屋根Ｂの設置が行い難い状態となる。そのために、改修タイトフレームＢ1の設
置位置は、隣接する既設タイトフレーム２，２の間とする〔図６(Ｂ)参照〕。また、改修タイトフレームＢ1は、上記のような場合以外であっても、隣接する既設タイトフレーム
２，２間に設置することもある（図７参照）。
【００４１】
以上の既設タイトフレーム２の切断作業及び高さ方向を低くする処理が完了すると、既設構造材４のフランジ４１上に改修タイトフレームＢ1を設置する〔図１（Ｄ）参照〕。
改修タイトフレームＢ1については後述するが、既設構造材４に対して装着設置に際して溶接手段は採用しないものである。つまり、改修タイトフレームＢ1は、無溶接タイプのものである。第１及び第２実施形態における既設タイトフレーム２の切断では、フランジ４１上に残された両脚部２１，２１間に存在する空隙Ｓの位置に改修タイトフレームＢ1
を設置する。
【００４２】
このとき、切断撤去前の既設タイトフレーム２に装着された吊子３の位置と、改修タイトフレームＢ1の頂部７３に装着される改修用の吊子３の位置が一致することが好ましい
。次いで、改修タイトフレームＢ1の頂部７３に改修用の折板屋根板材５を配置し、吊子
３を介して下馳部５４ａと上馳部５４ｂとを馳締して隣接する折板屋根板材５，５同士を連結し、これを順次繰り返すことにより改修折板屋根Ｂを施工する〔図１（Ｅ）参照〕。
【００４３】
次に改修タイトフレームＢ1の具体的な実施形態について説明する。まず、この説明に
おいて方向を示す文言として、既設の折板屋根板材１と同様に、Ｘ方向及びＹ方向を使用する。したがって、施工される改修折板屋根Ｂを構成する折板屋根板材５，５，…が並列される方向をＹ方向とし、各折板建築用板材５の長手方向となる方向をＸ方向とする。よって、既設構造材４の長手方向はＹ方向となる。
【００４４】
改修タイトフレームＢ1は、前述したように、既設構造材４に対して溶接を使用しない
で装着される無溶接タイプのものである。このような改修タイトフレームＢ1は、種々存在するものであり、その一例を図４に基づいて以下に示す。改修タイトフレームＢ1は、台座６と、受部本体７と、係止部材８とからなる。台座６は、略長方形状のベース板６１と、垂下状側部６２，６２とからなる。前記ベース板６１には、長手方向に沿って２個の貫通孔６３，６３が所定間隔をおいて形成されている。
【００４５】
受部本体７は、板状且つ柱形状に形成され、前記台座６のベース板６１の長手方向（Ｘ方向）の中心位置に設置される。受部本体７の柱状部７１には、基部７２と頂部７３とが存在する。柱状部７１は、ベース板６１上に垂直に立ち上がる。頂部７３の形状は段差状又は平坦状であり、馳締タイプの改修用の折板屋根板材５を使用する場合には吊子３を必要とするので段差状が好適である。頂部７３には必要に応じてボルト軸部７４が装着されており、吊子３の装着に使用される。
【００４６】
係止部材８は、断面略コ字形状の係止本体８１と締付螺子部８２とから構成されている。係止本体８１は、金属板材を断面略コ字形状に形成した部材であり、既設構造材４のフランジ部４１のＸ方向両端がコ字形状の係止部材３に対して挿入可能となっている。係止本体８１の上片には、締付螺子部８２が装着され、該締付螺子部８２は、螺子軸部８２ａと、ナット８２ｂとから構成され、螺子軸部８２ａにナット８２ｂが螺合する構成となっている。
【００４７】
台座６の幅方向（Ｙ方向）両側の両垂下状側部６２，６２内に、係止部材８の係止本体８１の幅方向（Ｙ方向）が収納できる〔図４（Ａ）参照〕。前記係止部材８は、一つの台座６に対して２個備えられ、それぞれの係止部材８の締付螺子部８２ａの螺子軸部８２ｂが、台座１のベース板１１の下面側よりそれぞれの貫通孔６３に挿入され、ベース板１１の上面側から前記螺子軸部８２ｂにナット８２ｂが螺合される。
【００４８】
改修タイトフレームＢ1は、二つの係止部材８，８の断面略コ字形状の係止本体８１，
８１とで、既設構造材４のフランジ部４１のＸ方向両端を挟持すると共に係止する〔図４（Ｃ）参照〕。そして、締付螺子部８２の螺子軸部８２ａに対してナット８２ｂを締め付けることにより、既設構造材４のフランジ４１が台座６の垂下状側部６２の下端と係止部材８，８とによって締め付けられ、台座６の垂下状側部６２が既設構造材４のフランジ４１に固定されることにより、改修タイトフレームＢ1が既設構造材４に装着される〔図１（Ｃ），図２（Ｃ），図４（Ｃ）等参照〕。
【符号の説明】
【００４９】
Ａ…既設折板屋、１…既設の折板屋根板材、２１…脚部、２２…頂部、
２…既設タイトフレーム、４…既設構造材、Ｂ…改修折板屋根、
Ｂ1…改修タイトフレーム、５…改修用の折板屋根板材。
【図１】
2018080533.tif 000003
【図２】
2018080533.tif 000004
【図３】
2018080533.tif 000005
【図４】
2018080533.tif 000006
【図５】
2018080533.tif 000007
【図６】
2018080533.tif 000008
【図７】
2018080533.tif 000009